(57)【特許請求の範囲】
【請求項１】
イメージセンサで撮像される画像を表示する表示デバイスと、前記表示デバイスの表示面側に配置される枠と、前記表示デバイスと前記枠との間に配置されるレンズ系と、前記レンズ系の位置を変更することで視度を調整する調整機構とを備えるファインダ装置を制御する制御装置であって、
前記表示デバイスに表示される画像の表示倍率を変更することに応じて、前記表示倍率に対して予め対応付けられた視度に従って、前記調整機構を制御するように構成される回路を備える制御装置。
【請求項２】
前記回路は、
前記表示デバイスの表示倍率を受け付け、
受け付けられた前記表示倍率に従って、前記表示デバイスの表示倍率を制御し、
受け付けられた前記表示倍率に対して予め対応付けられた視度を特定し、
特定された前記視度に従って、前記調整機構を制御するように構成される、請求項１に記載の制御装置。
【請求項３】
前記回路は、
記憶部に登録された表示倍率と視度とを対応付けた複数の設定情報の中から設定すべき設定情報を受け付け、
受け付けられた前記設定情報に基づいて、設定すべき表示倍率及び視度を特定し、
特定された前記表示倍率に従って、前記表示デバイスの表示倍率を制御し、
特定された前記視度に従って、前記調整機構を制御するように構成される、請求項１に記載の制御装置。
【請求項４】
前記回路は、
表示倍率と視度とを対応付けた新たな設定情報の前記記憶部への登録を受け付け、
受け付けられた前記新たな設定情報を前記記憶部に登録するように構成される、請求項３に記載の制御装置。
【請求項５】
請求項１から４の何れか１つに記載の制御装置と、
前記表示デバイスと、
前記レンズ系と、
前記枠と
を備えるファインダ装置。
【請求項６】
請求項５に記載のファインダ装置と、
前記イメージセンサと
を備える撮像装置。
【請求項７】
イメージセンサで撮像される画像を表示する表示デバイスと、前記表示デバイスの表示面側に配置される枠と、前記表示デバイスと前記枠との間に配置されるレンズ系と、前記レンズ系の位置を変更することで視度を調整する調整機構と、を備えるファインダ装置を制御する制御方法であって、
前記表示デバイスに表示される画像の表示倍率を変更することに応じて、前記表示倍率に対して予め対応付けられた視度に従って、前記調整機構を制御する段階を備える制御方法。
【請求項８】
請求項１から４の何れか１つに記載の制御装置としてコンピュータを機能させるためのプログラム。
【発明の詳細な説明】
【技術分野】
【０００１】
本発明は、制御装置、ファインダ装置、撮像装置、制御方法、及びプログラムに関する。
【背景技術】
【０００２】
特許文献１には、「撮影者の眼の位置によって常に被写体像が最適な表示倍率になるように自動調整を行う」と記載されている。特許文献２には、「使用者情報に基づいて自動的に視度調整を行う」と記載されている。
［先行技術文献］
［特許文献］
［特許文献１］  特開２０１６−５８９８３号公報
［特許文献２］  特開２００４−２４５９１０号公報
【発明の概要】
【発明が解決しようとする課題】
【０００３】
ファインダ装置の表示倍率の違いにより、最適な視度は変わる可能性がある。
【課題を解決するための手段】
【０００４】
本発明の一態様に係る制御装置は、イメージセンサで撮像される画像を表示する表示デバイスと、表示デバイスの表示面側に配置される枠と、表示デバイスと枠との間に配置されるレンズ系と、レンズ系の位置を変更することで視度を調整する調整機構とを備えるファインダ装置を制御する制御装置でよい。制御装置は、表示デバイスに表示される画像の表示倍率を変更することに応じて、表示倍率に対して予め対応付けられた視度に従って、調整機構を制御するように構成される回路を備えてよい。
【０００５】
回路は、表示デバイスの表示倍率を受け付け、受け付けられた表示倍率に従って、表示デバイスの表示倍率を制御し、受け付けられた表示倍率に対して予め対応付けられた視度を特定し、特定された視度に従って、調整機構を制御するように構成されてよい。
【０００６】
回路は、記憶部に登録された表示倍率と視度とを対応付けた複数の設定情報の中から設定すべき設定情報を受け付け、受け付けられた設定情報に基づいて、設定すべき表示倍率及び視度を特定し、特定された表示倍率に従って、表示デバイスの表示倍率を制御し、特定された視度に従って、調整機構を制御するように構成されてよい。
【０００７】
回路は、表示倍率と視度とを対応付けた新たな設定情報の記憶部への登録を受け付け、受け付けられた新たな設定情報を記憶部に登録するように構成されてよい。
【０００８】
本発明の一態様に係るファインダ装置は、上記制御装置と、表示デバイスと、レンズ系と、枠とを備えてよい。
【０００９】
本発明の一態様に係る撮像装置は、上記ファインダ装置と、イメージセンサとを備えてよい。
【００１０】
本発明の一態様に係る制御方法は、イメージセンサで撮像される画像を表示する表示デバイスと、表示デバイスの表示面側に配置される枠と、表示デバイスと枠との間に配置されるレンズ系と、レンズ系の位置を変更することで視度を調整する調整機構とを備えるファインダ装置を制御する制御方法でよい。制御方法は、表示デバイスに表示される画像の表示倍率を変更することに応じて、表示倍率に対して予め対応付けられた視度に従って、調整機構を制御する段階を備えてよい。
【００１１】
本発明の一態様に係るプログラムは、上記制御装置としてコンピュータを機能させるためのプログラムでよい。
【００１２】
本発明の一態様によれば、ファインダ装置の表示倍率が変更されたことに対応して、自動的に最適な視度に調整することができる。
【００１３】
なお、上記の発明の概要は、本発明の必要な特徴の全てを列挙したものではない。また、これらの特徴群のサブコンビネーションもまた、発明となりうる。
【図面の簡単な説明】
【００１４】
【図１】撮像装置の機能ブロックの一例を示す図である。
【図２】ファインダ装置の斜視図である。
【図３Ａ】接眼枠から撮影者が視認する画像の一例を示す図である。
【図３Ｂ】接眼枠から撮影者が視認する画像の一例を示す図である。
【図３Ｃ】接眼枠から撮影者が視認する画像の一例を示す図である。
【図３Ｄ】接眼枠から撮影者が視認する画像の一例を示す図である。
【図４】ユーザＩＤごとにそれぞれの表示倍率に対応するを示す設定情報の一例を示す図である。
【図５】表示倍率に応じて視度を自動的に調整する手順の一例を示すフローチャートである。
【図６】ハードウェア構成の一例を示す図である。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
特許請求の範囲、明細書、図面、及び要約書には、著作権による保護の対象となる事項が含まれる。著作権者は、これらの書類の何人による複製に対しても、特許庁のファイルまたはレコードに表示される通りであれば異議を唱えない。ただし、それ以外の場合、一切の著作権を留保する。
【００１７】
本発明の様々な実施形態は、フローチャート及びブロック図を参照して記載されてよく、ここにおいてブロックは、（１）操作が実行されるプロセスの段階または（２）操作を実行する役割を持つ装置の「部」を表わしてよい。特定の段階及び「部」が、プログラマブル回路、及び／またはプロセッサによって実装されてよい。専用回路は、デジタル及び／またはアナログハードウェア回路を含んでよい。集積回路（ＩＣ）及び／またはディスクリート回路を含んでよい。プログラマブル回路は、再構成可能なハードウェア回路を含んでよい。再構成可能なハードウェア回路は、論理ＡＮＤ、論理ＯＲ、論理ＸＯＲ、論理ＮＡＮＤ、論理ＮＯＲ、及び他の論理操作、フリップフロップ、レジスタ、フィールドプログラマブルゲートアレイ（ＦＰＧＡ）、プログラマブルロジックアレイ（ＰＬＡ）等のようなメモリ要素等を含んでよい。
【００１８】
コンピュータ可読媒体は、適切なデバイスによって実行される命令を格納可能な任意の有形なデバイスを含んでよい。その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ（登録商標））、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【００１９】
コンピュータ可読命令は、１または複数のプログラミング言語の任意の組み合わせで記述されたソースコードまたはオブジェクトコードの何れかを含んでよい。ソースコードまたはオブジェクトコードは、従来の手続型プログラミング言語を含む。従来の手続型プログラミング言語は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ（登録商標）、ＪＡＶＡ（登録商標）、Ｃ＋＋等のようなオブジェクト指向プログラミング言語、及び「Ｃ」プログラミング言語または同様のプログラミング言語でよい。コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供されてよい。プロセッサまたはプログラマブル回路は、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００２０】
図１は、本実施形態に係る撮像装置１００の機能ブロックの一例を示す。撮像装置１００は、撮像部１０２、レンズ部２００、及びファインダ装置４００を備える。撮像部１０２は、イメージセンサ１２０、撮像制御部１１０、メモリ１７０、表示部１８０、及び操作部１８２を有する。
【００２１】
イメージセンサ１２０は、ＣＣＤまたはＣＭＯＳにより構成されてよい。イメージセンサ１２０は、複数のレンズ１５４を介して結像された光学像の画像データを撮像制御部１１０に出力する。撮像制御部１１０は、ＣＰＵまたはＭＰＵ等のマイクロプロセッサ、ＭＣＵ等のマイクロコントローラ等により構成されてよい。
【００２２】
撮像制御部１１０は、操作部１８２からの撮像装置１００の動作命令に応じて、撮像制御部１１０は、イメージセンサ１２０から出力された画像信号にデモザイク処理を施すことで画像を生成する。撮像制御部１１０は、画像をメモリ１７０に格納する。撮像制御部１１０は、イメージセンサ１２０から出力された画像信号に基づく画像をファインダ装置４００に出力する。
【００２３】
メモリ１７０は、コンピュータ可読可能な記録媒体でよく、ＳＲＡＭ、ＤＲＡＭ、ＥＰＲＯＭ、ＥＥＰＲＯＭ、及びＵＳＢメモリ等のフラッシュメモリの少なくとも１つを含んでよい。メモリ１７０は、撮像制御部１１０がイメージセンサ１２０等を制御するのに必要なプログラム等を格納する。メモリ１７０は、撮像装置１００の筐体の内部に設けられてよい。
【００２４】
複数のレンズ１５４は、ズームレンズ、バリフォーカルレンズ、及びフォーカスレンズとして機能してよい。複数のレンズ１５４の少なくとも一部または全部は、光軸に沿って移動可能に配置される。レンズ制御部１５０は、撮像制御部１１０からのレンズ制御命令に従って、レンズ駆動部１５２を駆動して、１または複数のレンズ１５４を光軸方向に沿って移動させる。レンズ制御命令は、例えば、ズーム制御命令、及びフォーカス制御命令である。レンズ駆動部１５２は、複数のレンズ１５４の少なくとも一部または全部を光軸方向に移動させるボイスコイルモータ（ＶＣＭ）を含んでよい。レンズ駆動部１５２は、ＤＣモータ、コアレスモータ、または超音波モータ等の電動機を含んでよい。レンズ駆動部１５２は、電動機からの動力をカム環、ガイド軸等の機構部材を介して複数のレンズ１５４の少なくとも一部または全部に伝達して、複数のレンズ１５４の少なくとも一部または全部を光軸に沿って移動させてよい。本実施形態では、複数のレンズ１５４は、撮像装置１００と一体型の例について説明する。しかし、複数のレンズ１５４は、交換レンズでよく、撮像装置１００とは別体で構成されてもよい。
【００２５】
表示部１８０は、イメージセンサ１２０から出力された画像信号に基づく画像を表示してよい。表示部１８０は、撮像装置１００の各種の設定情報を表示してよい。表示部１８０は、液晶ディスプレイ、タッチパネルディスプレイなどでよい。表示部１８０は、複数の液晶ディスプレイ、またはタッチパネルディスプレイを含んでよい。
【００２６】
ファインダ装置４００は、イメージセンサ１２０から出力される画像を表示する。ファインダ装置４００は、固定筒４１０、移動筒４２０、接眼レンズ４２２、駆動機構４３０、表示デバイス４４０、片寄せ機構４５０、及び接眼枠４７０を備える。
【００２７】
表示デバイス４４０は、イメージセンサ１２０からの画像を表示する。表示デバイス４４０は、有機ＥＬ素子、すなわちＯＬＥＤ（Ｏｒｇａｎｉｃ  Ｌｉｇｈｔ  Ｅｍｉｔｔｉｎｇ  Ｄｉｏｄｅ）を含んでよい。表示デバイス４４０は、複数の有機ＥＬ素子を配列することで構成されてよい。表示デバイス４４０は、液晶ディスプレイでもよい。表示デバイス４４０に表示された画像を接眼レンズ４２２を介して拡大する。撮影者は、表示デバイス４４０に表示される画像を接眼レンズ４２２を通して接眼枠４７０を覗き込むことで、確認する。接眼枠４７０は、枠の一例である。
【００２８】
固定筒４１０は、移動筒４２０を光軸方向に移動可能に保持する。移動筒４２０は、接眼レンズ４２２を保持する。駆動機構４３０は、移動筒４２０を光軸方向に駆動させる。接眼レンズ４２２を光軸方向に移動させることで、接眼枠４７０を覗き込む撮影者の視力に合わせて視度を調整できる。駆動機構４３０は、調整機構の一例である。
【００２９】
片寄せ機構４５０は、移動筒４２０を接眼枠４７０側に付勢し、移動筒４２０を光軸方向の一方に片寄せする。これにより、移動筒４２０が光軸方向に沿って移動する場合の、がたつきを防止する。付勢とは、一方向に力を作用させることを言う。付勢とは、勢いよく一方向に力を加えることを言う。付勢とは、力を加え、一方向に押さえつけることを言う。
【００３０】
図２は、ファインダ装置４００の斜視図である。図２では、内部を視認化するために固定筒４１０を透明で示している。
【００３１】
ファインダ装置４００は、光軸に沿ったガイド軸部４１２を備える。固定筒４１０は、ガイド軸部４１２に沿って移動可能に移動筒４２０を保持する。
【００３２】
駆動機構４３０は、電動機４３２、ネジ軸部４３４、ギア部４３６、及びナット部４３８を有する。電動機４３２からの動力は、ギア部４３６を介してネジ軸部４３４に伝達される。電動機４３２は、固定筒４１０に支持されている。ネジ軸部４３４は、ガイド軸部４１２に沿って配置され、電動機４３２からの動力をギア部４３６を介して受けて回転する。ナット部４３８は、移動筒４２０に支持され、ネジ軸部４３４に螺合する。螺合とは、ボルトとナットのように、ネジ同士が噛み合うことをいう。螺合とは、ナット部４３８の内周面に設けられたネジ溝と、ネジ軸部４３４の外周面に設けられたネジ溝とが噛み合うことをいう。
【００３３】
移動筒４２０は、側面に、ガイド軸部４１２を軸受けする軸受け部４２４を有する。片寄せ機構４５０は、バネ４５２、及びバネ受け部４５４を有する。バネ４５２は、軸受け部４２４の周囲の一部を取り囲むように配置される。バネ受け部４５４は、軸受け部４２４の周囲に突出して設けられ、バネ４５２の一端が接触する。移動筒４２０は、バネ受け部４５４がバネ４５２により接眼枠４７０側に押圧され、接眼枠４７０側に付勢されている。押圧とは、一方向に力を加えて押すこと言う。押圧とは、一方向に圧力を加えることを言う。
【００３４】
ネジ軸部４３４が第１回転方向に回転すると、ナット部４３８がネジ軸部４３４を介して第１方向４０１と反対の第２方向４０２へ移動するとともに移動筒４２０が第２方向４０２へ移動し、バネ４５２がバネ受け部４５４により押圧されることで収縮する。ネジ軸部４３４が第１回転方向と反対の第２回転方向に回転するとネジ軸部４３４を介して第１方向４０１へ移動するとともに、移動筒４２０が、バネ４５２によりバネ受け部４５４を介して第１方向４０１へ付勢されながら、第１方向４０１へ移動する。
【００３５】
図３Ａは、接眼枠４７０から撮影者が視認する画像の一例を示す。例えば、図３Ａに示す画像は、撮影者が裸眼で画像を視認する場合の画像である。撮影者が眼鏡を装着して接眼枠４７０を覗き込む場合、眼鏡を装着する撮影者のアイポイントは、眼鏡を装着しない撮影者のアイポインと異なる。眼鏡を装着する撮影者のアイポイントと接眼枠４７０までの距離は、眼鏡を装着しない撮影者のアイポイントと接眼枠４７０までの距離より長くなる。距離が長いと、接眼枠４７０が接眼レンズ４２２から出射される光の一部を遮り、撮影者の視野がかける現象、いわゆるケラレが発生する。撮影者は、例えば、図３Ｂに示すように、ケラレにより四隅が欠けた画像を視認する。
【００３６】
そこで、撮影者のアイポイントから接眼枠４７０までの距離に応じて、表示デバイス４４０の表示倍率を調整する。例えば、撮影者が眼鏡を装着する場合、表示倍率を縮小して、撮影者が視認する画像の四隅が欠けないようにする。しかしながら、撮影者が裸眼で接眼枠４７０を覗き込む場合の視度と、撮影者が眼鏡を装着して、接眼枠４７０を覗き込む場合の視度は異なる場合がある。そのため、表示倍率を変えるだけでは、図３Ｃに示すように、眼鏡を装着した撮影者が視認する画像はぼやける可能性がある。このような場合、撮影者が、表示倍率が変更された後に、視度の調整レバーなどを操作して、視度を調整する必要がある。これにより、図３Ｄに示すように、撮影者により視認される画像がぼやけないようにできる。
【００３７】
しかしながら、表示倍率を変更する度に、視度も調整する場合、撮影者の利便性が低下する。そこで、本実施形態に係るファインダ装置４００は、表示倍率の変更に応じて、自動的に視度も調整する。これにより、撮影者の利便性を向上させる。
【００３８】
撮像制御部１１０は、表示デバイス４４０に表示される画像の表示倍率を変更することに応じて、表示倍率に対して予め対応付けられた視度に従って、駆動機構４３０を制御する。撮像制御部１１０は、表示倍率に対応付けられた視度に対応する位置に接眼レンズ４２２を移動させるべく、駆動機構４３０を制御する。
【００３９】
撮像制御部１１０は、表示デバイス４４０の表示倍率を受け付ける。撮像制御部１１０は、操作部１８２または表示部１８０を介して、撮影者から所望の表示倍率を受け付けてよい。撮像制御部１１０は、第１表示倍率で画像を表示デバイス４４０に表示させる第１表示倍率モードと、第１表示倍率より小さい第２表示倍率で画像を表示デバイス４４０に表示させる第２表示倍率モードとのいずれか一方のモードを所望の表示倍率として受け付けてよい。第１表示倍率モードは、裸眼の撮影者用の標準の表示倍率のモードでよい。第２表示倍率モードは、眼鏡を装着する撮影者用の標準より縮小された表示倍率のモードでよい。
【００４０】
撮像制御部１１０は、受け付けられた表示倍率に従って、表示デバイス４４０の表示倍率を制御する。撮像制御部１１０は、受け付けられた表示倍率に対して予め対応付けられた視度を特定する。撮像制御部１１０は、メモリ１７０に登録された表示倍率と視度との対応関係に基づいて、表示倍率に対応する視度を特定してよい。撮像制御部１１０は、表示倍率に対応する視度として、接眼レンズ４２２の位置を特定してもよい。
【００４１】
メモリ１７０は、複数のユーザのそれぞれについて、表示倍率と視度とを対応付けた設定情報を記憶してよい。メモリ１７０は、例えば、図４に示すように、ユーザＩＤごとに、表示倍率モードごとの視度を示すテーブルを設定情報として記憶してよい。
【００４２】
撮像制御部１１０は、メモリ１７０に登録された表示倍率と視度とを対応付けた複数の設定情報の中から設定すべき設定情報を受け付けてよい。撮像制御部１１０は、受け付けた設定情報に基づいて、設定すべき表示倍率及び視度を特定してよい。撮像制御部１１０は、特定された表示倍率に従って、表示デバイス４４０の表示倍率を制御してよい。撮像制御部１１０は、特定された視度に従って、駆動機構４３０を制御してよい。
【００４３】
撮像制御部１１０は、表示倍率と視度とを対応付けた新たな設定情報のメモリ１７０への登録を操作部１８２または表示部１８０を介して受け付けてよい。撮像制御部１１０は、受け付けられた新たな設定情報をメモリ１７０に登録してよい。
【００４４】
撮像制御部１１０は、撮影者が撮像装置１００の使用を開始するときに、撮影者のユーザＩＤを受け付けてよい。撮像制御部１１０は、撮影者が撮像装置１００の使用を開始するときに、複数のユーザＩＤの中から撮影者のユーザＩＤを選択することで、撮影者のユーザＩＤを受け付けてよい。撮像制御部１１０は、撮影者から表示倍率モードを受け付けてよい。撮像制御部１１０は、操作部１８２または表示部１８０を介して撮影者からファインダ装置４００の視度の調整の要求を受け付けてよい。撮像制御部１１０は、受け付けた要求に応じて、駆動機構４３０を制御して、視度を調整してよい。さらに、撮像制御部１１０は、操作部１８２または表示部１８０を介して撮影者からファインダ装置４００の視度の登録の要求を受け付けてよい。撮像制御部１１０は、視度の登録の要求を受けると、現在のユーザＩＤと、現在の表示倍率モードとに対応付けて、受け付けられた視度を設定情報として、メモリ１７０に登録してよい。
【００４５】
図５は、表示倍率に応じて視度を自動的に調整する手順の一例を示すフローチャートである。
【００４６】
撮像制御部１１０は、撮影者から操作部１８２または表示部１８０を介して表示倍率の変更の要求を受け付ける。撮像制御部１１０は、表示倍率モードの変更の要求を受け付ける。撮像制御部１１０は、ユーザＩＤ及び表示倍率モードの変更の要求を受け付けてもよい。撮像制御部１１０は、表示倍率の変更の要求に応じて、表示デバイス４４０の表示倍率を変更する（Ｓ１００）。
【００４７】
撮像制御部１１０は、変更された表示倍率に対応する現在のユーザＩＤでの視度をメモリ１７０に登録された設定情報に基づいて特定する（Ｓ１０２）。撮像制御部１１０は、特定された視度に従って、接眼レンズ４２２の位置を調整する（Ｓ１０４）。撮像制御部１１０は、駆動機構４３０を制御して、特定された視度に対応する位置に接眼レンズ４２２を移動させる。
【００４８】
以上の通り、本実施形態に係るファインダ装置４００によれば、表示倍率の変更に応じて、自動的に視度も調整できる。これにより、撮影者の利便性を向上させることができる。
【００４９】
図６は、本発明の複数の態様が全体的または部分的に具現化されてよいコンピュータ１２００の一例を示す。コンピュータ１２００にインストールされたプログラムは、コンピュータ１２００に、本発明の実施形態に係る装置に関連付けられるオペレーションまたは当該装置の１または複数の「部」として機能させることができる。または、当該プログラムは、コンピュータ１２００に当該オペレーションまたは当該１または複数の「部」を実行させることができる。当該プログラムは、コンピュータ１２００に、本発明の実施形態に係るプロセスまたは当該プロセスの段階を実行させることができる。そのようなプログラムは、コンピュータ１２００に、本明細書に記載のフローチャート及びブロック図のブロックのうちのいくつかまたはすべてに関連付けられた特定のオペレーションを実行させるべく、ＣＰＵ１２１２によって実行されてよい。
【００５０】
本実施形態によるコンピュータ１２００は、ＣＰＵ１２１２、及びＲＡＭ１２１４を含み、それらはホストコントローラ１２１０によって相互に接続されている。コンピュータ１２００はまた、通信インタフェース１２２２、入力／出力ユニットを含み、それらは入力／出力コントローラ１２２０を介してホストコントローラ１２１０に接続されている。コンピュータ１２００はまた、ＲＯＭ１２３０を含む。ＣＰＵ１２１２は、ＲＯＭ１２３０及びＲＡＭ１２１４内に格納されたプログラムに従い動作し、それにより各ユニットを制御する。
【００５１】
通信インタフェース１２２２は、ネットワークを介して他の電子デバイスと通信する。ハードディスクドライブが、コンピュータ１２００内のＣＰＵ１２１２によって使用されるプログラム及びデータを格納してよい。ＲＯＭ１２３０はその中に、アクティブ化時にコンピュータ１２００によって実行されるブートプログラム等、及び／またはコンピュータ１２００のハードウェアに依存するプログラムを格納する。プログラムが、ＣＲ−ＲＯＭ、ＵＳＢメモリまたはＩＣカードのようなコンピュータ可読記録媒体またはネットワークを介して提供される。プログラムは、コンピュータ可読記録媒体の例でもあるＲＡＭ１２１４、またはＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置または方法が、コンピュータ１２００の使用に従い情報のオペレーションまたは処理を実現することによって構成されてよい。
【００５２】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、またはＵＳＢメモリのような記録媒体内に提供される送信バッファ領域に格納された送信データを読み取り、読み取られた送信データをネットワークに送信し、またはネットワークから受信した受信データを記録媒体上に提供される受信バッファ領域等に書き込む。
【００５３】
また、ＣＰＵ１２１２は、ＵＳＢメモリ等のような外部記録媒体に格納されたファイルまたはデータベースの全部または必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００５４】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【００５５】
上で説明したプログラムまたはソフトウェアモジュールは、コンピュータ１２００上またはコンピュータ１２００近傍のコンピュータ可読記憶媒体に格納されてよい。また、専用通信ネットワークまたはインターネットに接続されたサーバーシステム内に提供されるハードディスクまたはＲＡＭのような記録媒体が、コンピュータ可読記憶媒体として使用可能であり、それによりプログラムを、ネットワークを介してコンピュータ１２００に提供する。
【００５６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５８】
１００  撮像装置
１０２  撮像部
１１０  撮像制御部
１２０  イメージセンサ
１５０  レンズ制御部
１５２  レンズ駆動部
１５４  レンズ
１７０  メモリ
１８０  表示部
１８２  操作部
２００  レンズ部
４００  ファインダ装置
４１０  固定筒
４１２  ガイド軸部
４２０  移動筒
４２２  接眼レンズ
４２４  軸受け部
４３０  駆動機構
４３２  電動機
４３４  ネジ軸部
４３６  ギア部
４３８  ナット部
４４０  表示デバイス
４５０  片寄せ機構
４５２  バネ
４５４  バネ受け部
４７０  接眼枠
１２００  コンピュータ
１２１０  ホストコントローラ
１２１２  ＣＰＵ
１２１４  ＲＡＭ
１２２０  入力／出力コントローラ
１２２２  通信インタフェース
１２３０  ＲＯＭ
【要約】      （修正有）【課題】ファインダ装置の表示倍率が変更されたことに対応して、自動的に最適な視度に調整する制御装置、ファインダ装置、撮像装置、制御方法及びプログラムを提供する。【解決手段】撮像装置において、制御装置は、イメージセンサで撮像される画像を表示する表示デバイスと、表示デバイスの表示面側に配置される接眼枠と、表示デバイスと接眼枠との間に配置される接眼レンズと、接眼レンズの位置を変更することで視度を調整する調整機構（駆動機構）とを備えるファインダ装置を制御するコンピュータである。制御装置は、表示デバイスに表示される画像の表示倍率を変更することに応じて、表示倍率に対して予め対応付けられた視度に従って、調整機構を制御する。【選択図】図５【図１】
0006984081.tif 000002
【図２】
0006984081.tif 000003
【図３Ａ】
0006984081.tif 000004
【図３Ｂ】
0006984081.tif 000005
【図３Ｃ】
0006984081.tif 000006
【図３Ｄ】
0006984081.tif 000007
【図４】
0006984081.tif 000008
【図５】
0006984081.tif 000009
【図６】
0006984081.tif 000010